(57)【要約】【課題】  コンテンツ購入時とコンテンツ再配信時とで別々のユーザ端末が使用されたとしても、コンテンツを再配信可能とする。【解決手段】  配信サーバ２０としては、ユーザ端末１０から送信されたメディアＩＤ及びコンテンツＩＤがユーザ情報蓄積部２１内に有るとき、暗号化タイトル鍵及び暗号化コンテンツをユーザ端末１０に再配信する。これにより、コンテンツ購入時とコンテンツ再配信時とで別々のユーザ端末が使用されたとしても、記録メディアＭｄが同一であれば、コンテンツを再配信できる。【選択図】  図１
2005286598.tif 000002
【特許請求の範囲】
【請求項１】
メディアＩＤが記憶された記録メディアを着脱自在に保持し、このメディアＩＤに基づいて発行された暗号化タイトル鍵により暗号化コンテンツを復号して再生するユーザ端末と、前記暗号化タイトル鍵及び前記暗号化コンテンツを前記ユーザ端末に配信可能な配信装置とからなるコンテンツ配信システムであって、
前記ユーザ端末は、
前記保持した記録メディアのメディアＩＤ及び購入済の暗号化コンテンツのコンテンツＩＤを前記配信装置に送信する手段と、
前記メディアＩＤ及び前記コンテンツＩＤの送信に基づいて、前記暗号化タイトル鍵及び暗号化コンテンツを前記配信装置から受信する手段と、を備えており、
前記配信装置は、
購入済の暗号化コンテンツのコンテンツＩＤ、及び購入時のメディアＩＤが互いに関連付けて記憶された購入済情報記憶手段と、
前記メディアＩＤ、前記コンテンツＩＤ及び前記暗号化タイトル鍵が互いに関連付けて記憶された暗号化タイトル鍵記憶手段と、
前記コンテンツＩＤ及び前記暗号化コンテンツが互いに関連付けて記憶された暗号化コンテンツ記憶手段と、
前記ユーザ端末から受けたメディアＩＤ及びコンテンツＩＤに基づいて、前記購入済情報記憶手段を検索し、当該メディアＩＤ及びコンテンツＩＤが前記購入済情報記憶手段内に有るとき、前記暗号化タイトル鍵及び暗号化コンテンツの再配信を許可する手段と、
前記許可に基づいて、前記暗号化タイトル鍵記憶手段内の対応する暗号化タイトル鍵を前記ユーザ端末に送信する手段と、
前記許可に基づいて、前記暗号化コンテンツ記憶手段内の対応する暗号化コンテンツを前記ユーザ端末に送信する手段と、
を備えたことを特徴とするコンテンツ配信システム。
【請求項２】
請求項１に記載のコンテンツ配信システムにおいて、
前記配信装置は、
予めユーザＩＤ及びパスワードが記憶されたユーザＩＤ記憶手段と、
前記ユーザ端末によるメディアＩＤ及びコンテンツＩＤの送信よりも先に、前記ユーザ端末から受けたユーザＩＤ及びパスワードに基づいて前記ユーザＩＤ記憶手段を検索し、当該ユーザＩＤ及びパスワードが前記ユーザＩＤ記憶手段内に有るとき、前記ユーザ端末にログインを許可するログイン許可手段と、
を備えたことを特徴とするコンテンツ配信システム。
【請求項３】
メディアＩＤが記憶された記録メディアを着脱自在に保持し、このメディアＩＤに基づいて発行された暗号化タイトル鍵により暗号化コンテンツを復号して再生するユーザ端末に対し、前記暗号化タイトル鍵及び前記暗号化コンテンツを配信可能な配信装置であって、
購入済の暗号化コンテンツのコンテンツＩＤ、及び購入時のメディアＩＤが互いに関連付けて記憶された購入済情報記憶手段と、
前記メディアＩＤ、前記コンテンツＩＤ及び前記暗号化タイトル鍵が互いに関連付けて記憶された暗号化タイトル鍵記憶手段と、
前記コンテンツＩＤ及び前記暗号化コンテンツが互いに関連付けて記憶された暗号化コンテンツ記憶手段と、
前記ユーザ端末から受けたメディアＩＤ及びコンテンツＩＤに基づいて、前記購入済情報記憶手段を検索し、当該メディアＩＤ及びコンテンツＩＤが前記購入済情報記憶手段内に有るとき、前記暗号化タイトル鍵及び暗号化コンテンツの再配信を許可する手段と、
前記許可に基づいて、前記暗号化タイトル鍵記憶手段内の対応する暗号化タイトル鍵を前記ユーザ端末に送信する手段と、
前記許可に基づいて、前記暗号化コンテンツ記憶手段内の対応する暗号化コンテンツを前記ユーザ端末に送信する手段と、
を備えたことを特徴とする配信装置。
【請求項４】
請求項３に記載の配信装置において、
前記暗号化コンテンツの購入の際に、ユーザ端末から前記記録メディアに記憶されたメディアＩＤを含む鍵発行要求を受けると、この鍵発行要求を鍵発行装置に転送する手段と、
前記転送により、前記鍵発行装置から前記メディアＩＤに基づいて発行された暗号化タイトル鍵を受けると、この暗号化タイトル鍵を前記暗号化タイトル鍵記憶手段に書込む手段と、
この書込んだ暗号化タイトル鍵を鍵発行要求元のユーザ端末に返信する手段と、
を備えたことを特徴とする配信装置。
【請求項５】
購入済の暗号化コンテンツのコンテンツＩＤ、及び購入時のメディアＩＤが互いに関連付けて記憶された購入済情報記憶手段と、
前記メディアＩＤ、前記コンテンツＩＤ及び前記暗号化タイトル鍵が互いに関連付けて記憶された暗号化タイトル鍵記憶手段と、
前記コンテンツＩＤ及び前記暗号化コンテンツが互いに関連付けて記憶された暗号化コンテンツ記憶手段とを備え、且つ前記メディアＩＤに基づいて発行された暗号化タイトル鍵で復号可能な暗号化コンテンツを配信可能な配信装置に対し、メディアＩＤが記憶された記録メディアを着脱自在に保持し、購入済の暗号化コンテンツの再配信を受けることが可能なユーザ端末であって、
前記保持された記録メディアのメディアＩＤ及び購入済の暗号化コンテンツのコンテンツＩＤを前記配信装置に送信する手段と、
前記メディアＩＤ及び前記コンテンツＩＤの送信に基づいて、前記配信装置による前記購入済情報記憶手段の参照により再配信が前記配信装置に許可されると、この許可に基づいて前記暗号化タイトル鍵記憶手段内の対応する暗号化タイトル鍵と前記暗号化コンテンツ記憶手段内の対応する暗号化コンテンツとを前記配信装置から受信する手段と、
を備えたことを特徴とするユーザ端末。
【請求項６】
メディアＩＤが記憶された記録メディアを着脱自在に保持するユーザ端末に対し、前記メディアＩＤに基づいて発行された暗号化タイトル鍵で復号可能な暗号化コンテンツを配信可能な配信装置に用いられるプログラムであって、
前記配信装置のコンピュータに、
購入済の暗号化コンテンツのコンテンツＩＤ、及び購入時のメディアＩＤが互いに関連付けて記憶された購入済情報記憶手段を形成する機能、
前記メディアＩＤ、前記コンテンツＩＤ及び前記暗号化タイトル鍵が互いに関連付けて記憶された暗号化タイトル鍵記憶手段を形成する機能、
前記コンテンツＩＤ及び前記暗号化コンテンツが互いに関連付けて記憶された暗号化コンテンツ記憶手段を形成する機能、
前記ユーザ端末から受けたメディアＩＤ及びコンテンツＩＤに基づいて、前記購入済情報記憶手段を検索し、当該メディアＩＤ及びコンテンツＩＤが前記購入済情報記憶手段内に有るとき、前記暗号化タイトル鍵及び暗号化コンテンツの再配信を許可する機能、
前記許可に基づいて、前記暗号化タイトル鍵記憶手段内の対応する暗号化タイトル鍵を前記ユーザ端末に送信する機能、
前記許可に基づいて、前記暗号化コンテンツ記憶手段内の対応する暗号化コンテンツを前記ユーザ端末に送信する機能、
を実現させるためのプログラム。
【請求項７】
請求項６に記載のプログラムにおいて、
前記配信装置のコンピュータに、
前記暗号化コンテンツの購入の際に、ユーザ端末から前記記録メディアに記憶されたメディアＩＤを含む鍵発行要求を受けると、この鍵発行要求を鍵発行装置に転送する機能、
前記転送により、前記鍵発行装置から前記メディアＩＤに基づいて発行された暗号化タイトル鍵を受けると、この暗号化タイトル鍵を前記暗号化タイトル鍵記憶手段に書込む機能、
この書込んだ暗号化タイトル鍵を鍵発行要求元のユーザ端末に返信する機能、
を実現させるためのプログラム。
【請求項８】
購入済の暗号化コンテンツのコンテンツＩＤ、及び購入時のメディアＩＤが互いに関連付けて記憶された購入済情報記憶手段と、
前記メディアＩＤ、前記コンテンツＩＤ及び前記暗号化タイトル鍵が互いに関連付けて記憶された暗号化タイトル鍵記憶手段と、
前記コンテンツＩＤ及び前記暗号化コンテンツが互いに関連付けて記憶された暗号化コンテンツ記憶手段とを備え、且つ前記メディアＩＤに基づいて発行された暗号化タイトル鍵で復号可能な暗号化コンテンツを配信可能な配信装置に対し、
メディアＩＤが記憶された記録メディアを着脱自在に保持し、購入済の暗号化コンテンツの再配信を受けることが可能なユーザ端末に用いられるプログラムであって、
前記ユーザ端末のコンピュータに、
前記保持された記録メディアのメディアＩＤ及び購入済の暗号化コンテンツのコンテンツＩＤを前記配信装置に送信する機能、
前記メディアＩＤ及び前記コンテンツＩＤの送信に基づいて、前記配信装置による前記購入済情報記憶手段の参照により再配信が前記配信装置に許可されると、この許可に基づいて前記暗号化タイトル鍵記憶手段内の対応する暗号化タイトル鍵と前記暗号化コンテンツ記憶手段内の対応する暗号化コンテンツとを前記配信装置から受信する機能、
を実現するためのプログラム。
【請求項９】
メディアＩＤが記憶された記録メディアを着脱自在に保持し、このメディアＩＤに基づいて発行された暗号化タイトル鍵により暗号化コンテンツを復号して再生するユーザ端末と、前記暗号化タイトル鍵及び前記暗号化コンテンツを前記ユーザ端末に配信可能な配信装置とからなるコンテンツ配信方法であって、
前記配信装置が、購入済の暗号化コンテンツのコンテンツＩＤ、及び購入時のメディアＩＤが互いに関連付けて記憶された購入済情報記憶手段を準備する工程と、
前記配信装置が、前記メディアＩＤ、前記コンテンツＩＤ及び前記暗号化タイトル鍵が互いに関連付けて記憶された暗号化タイトル鍵記憶手段を準備する工程と、
前記配信装置が、前記コンテンツＩＤ及び前記暗号化コンテンツが互いに関連付けて記憶された暗号化コンテンツ記憶手段を準備する工程と、
前記ユーザ端末が、前記保持した記録メディアのメディアＩＤ及び購入済の暗号化コンテンツのコンテンツＩＤを前記配信装置に送信する工程と、
前記配信装置が、前記ユーザ端末から受けたメディアＩＤ及びコンテンツＩＤに基づいて前記購入済情報記憶手段を検索し、当該メディアＩＤ及びコンテンツＩＤが前記購入済情報記憶手段内に有るとき、前記暗号化タイトル鍵及び暗号化コンテンツの再配信を許可する手段と、
前記配信装置が、前記許可に基づいて、前記暗号化タイトル鍵記憶手段内の対応する暗号化タイトル鍵を前記ユーザ端末に送信する手段と、
前記配信装置が、前記許可に基づいて、前記暗号化コンテンツ記憶手段内の対応する暗号化コンテンツを前記ユーザ端末に送信する手段と、
前記ユーザ端末が、前記メディアＩＤ及び前記コンテンツＩＤの送信に基づいて、前記暗号化タイトル鍵及び暗号化コンテンツを前記配信装置から受信する工程と、
を備えたことを特徴とするコンテンツ配信方法。
【発明の詳細な説明】
【技術分野】
【０００１】
本発明は、コンテンツ配信システム、装置、プログラム及び方法に関する。
【背景技術】
【０００２】
近年、インターネット等に代表されるネットワーク通信の発展に伴い、映像や音楽等のコンテンツをネットワークを介して販売及び配信するコンテンツ配信システムが広く用いられてきている。この種のコンテンツ配信システムでは、利用者は、購入したコンテンツをメモリに保存し、適宜、メモリ内のコンテンツを読み出して再生することにより、映像や音楽等を視聴する。
【０００３】
しかしながら、以上のようなコンテンツ配信システムは、利用者が、メモリ内のコンテンツを誤って消去する場合があると考えられる。その際、コンテンツの迅速な再配信が求められる。
【０００４】
このような再配信に適用し得る技術としては、例えば特許文献１に記載された技術がある。特許文献１に記載の技術は、主には、コンテンツの配送が失敗したときに再配送するものであるが、これに限らず、再配送登録処理が終了した後であればいつでもコンテンツを再配送可能なものとなっている（段落［００８８］参照）。
【０００５】
（媒体認証処理）
特許文献１に記載の技術においては、コンテンツ配布先を特定するために、決済時にコンテンツ決済に使用した媒体（ＩＣカード等）が課金サーバにおいて認証中である媒体であることを示す認証セッション情報を保存するとともに、手形署名鍵などの生成したデータを購入制御端末（ＩＣカードを挿入したパソコン）などに送信する（段落［００６６］参照）。
【０００６】
購入制御端末では、受信した手形署名鍵を元に手形情報を生成する（段落［００６８］参照）。但し、この手形署名鍵は、認証を行なった端末でしか把握できないようにされている（段落［００６６］及び［００７１］参照）。
【０００７】
（支払処理）
支払処理においては、購入制御端末で生成した手形情報を販売サーバへ送信し、販売サーバは手形情報に価格情報等を加えた課金要求を課金サーバに対して行なうが（段落［００７２］参照）、課金サーバ側で蓄積されていた認証セッション情報と販売サーバより送信された手形情報の中の認証セッション情報を照合し課金処理を行なう（段落［００７４］参照）。課金が成功すると、認証セッション情報等を再配送管理表に記録する（段落［００７８参照］）。
【０００８】
（再配送処理）
再配送依頼を行う際は、購入制御端末側で再配送問合せ情報を生成するが、この情報は手形情報を含むため、媒体ＩＤと購入制御端末は支払処理時と同じことが、再配送の最低条件となっている（段落［００８９］及び［００９０］参照）。課金サーバは、認証後、再配送管理表を照合し、再配送の可否判断を行ない、その結果を販売サーバに送信し、販売サーバは購入制御端末にコンテンツを送信する。
【特許文献１】特開２００３−２４８７８３号公報
【発明の開示】
【発明が解決しようとする課題】
【０００９】
しかしながら、以上のような特許文献１に記載の技術は、コンテンツ購入時の媒体ＩＤと端末から再配送時の認証のための情報を生成しているため、コンテンツの再配送先（端末）が制限される。そのため、購入制御端末（パソコン）が故障した際は再配送を受けられないという不具合が生じると考えられる。
【００１０】
本発明は上記実情を考慮してなされたもので、コンテンツ購入時とコンテンツ再配信時とで別々のユーザ端末が使用されたとしても、コンテンツを再配信し得るコンテンツ配信システム、装置、プログラム及び方法を提供することを目的とする。
【課題を解決するための手段】
【００１１】
第１の発明は、メディアＩＤが記憶された記録メディアを着脱自在に保持し、このメディアＩＤに基づいて発行された暗号化タイトル鍵により暗号化コンテンツを復号して再生するユーザ端末と、前記暗号化タイトル鍵及び前記暗号化コンテンツを前記ユーザ端末に配信可能な配信装置とからなるコンテンツ配信システムであって、前記ユーザ端末としては、前記保持した記録メディアのメディアＩＤ及び購入済の暗号化コンテンツのコンテンツＩＤを前記配信装置に送信する手段と、前記メディアＩＤ及び前記コンテンツＩＤの送信に基づいて、前記暗号化タイトル鍵及び暗号化コンテンツを前記配信装置から受信する手段と、前記配信装置としては、購入済の暗号化コンテンツのコンテンツＩＤ、及び購入時のメディアＩＤが互いに関連付けて記憶された購入済情報記憶手段と、前記メディアＩＤ、前記コンテンツＩＤ及び前記暗号化タイトル鍵が互いに関連付けて記憶された暗号化タイトル鍵記憶手段と、前記コンテンツＩＤ及び前記暗号化コンテンツが互いに関連付けて記憶された暗号化コンテンツ記憶手段と、前記ユーザ端末から受けたメディアＩＤ及びコンテンツＩＤに基づいて、前記購入済情報記憶手段を検索し、当該メディアＩＤ及びコンテンツＩＤが前記購入済情報記憶手段内に有るとき、前記暗号化タイトル鍵及び暗号化コンテンツの再配信を許可する手段と、前記許可に基づいて、前記暗号化タイトル鍵記憶手段内の対応する暗号化タイトル鍵を前記ユーザ端末に送信する手段と、前記許可に基づいて、前記暗号化コンテンツ記憶手段内の対応する暗号化コンテンツを前記ユーザ端末に送信する手段と、を備えたコンテンツ配信システムである。
【００１２】
第１の発明によれば、配信装置としては、ユーザ端末から送信されたメディアＩＤ及びコンテンツＩＤが購入済情報記憶手段内に有るとき、暗号化タイトル鍵及び暗号化コンテンツをユーザ端末に再配信する構成により、コンテンツ購入時とコンテンツ再配信時とで別々のユーザ端末が使用されたとしても、記録メディアが同一であれば、コンテンツを再配信することができる。
【発明の効果】
【００１３】
以上説明したように本発明によれば、コンテンツ購入時とコンテンツ再配信時とで別々のユーザ端末が使用されたとしても、コンテンツを再配信できる。
【発明を実施するための最良の形態】
【００１４】
以下、本発明の各実施形態について図面を参照しながら説明する。  
（第１の実施形態）
図１は本発明の第１の実施形態に係るコンテンツ配信システムの構成を示す模式図である。このコンテンツ配信システムは、ユーザ端末１０、配信サーバ（配信装置）２０、課金・決済サーバ３０及び鍵発行サーバ（鍵発行装置）４０を備えている。
【００１５】
ここで、ユーザ端末１０は、ＤＲＡＭ１１、ハードディスク（ＨＤＤ）１２、入力部１３、制御部１４、Ｒ／Ｗ部１５、通信部１６及び出力部１７を備えている。
【００１６】
ＤＲＡＭ１１は、制御部１４から読出／書込可能に制御されるメモリである。
【００１７】
ハードディスク１２は、制御部１４から読出／書込可能に制御される不揮発性メモリである。  
入力部１３は、ユーザの操作を制御部１４に入力するための入力インターフェイスである。
【００１８】
制御部１４は、入力部１３からの入力により、暗号化タイトル鍵に基づく暗号化コンテンツの再生処理を実行するといった基本機能に加え、入力部１３からの入力により、コンテンツ購入、再配信確認及びコンテンツ再配信といった処理を実行するものであり、具体的には後述する図７乃至図１０に示す処理を実行するものである。
【００１９】
Ｒ／Ｗ部１５は、例えばＤＶＤ−ＲＡＭ等の記録メディアＭｄを着脱自在に保持するものであり、制御部１４からの制御により、記録メディアＭｄの読出／書込を実行する機能をもっている。
【００２０】
ここで、記録メディアＭｄは、ＣＰＲＭ（Content Protection for Prerecorded Media）に基づくメディアＩＤを読出可能に保持し、且つ、暗号化タイトル鍵、チケットデータ及び暗号化コンテンツといった任意のデータが読出／書込可能な記憶媒体である。なお、記録メディアＭｄは、Ｒ／Ｗ部１５の説明でＤＶＤ−ＲＡＭを例示したが、これに限らず、ＣＰＲＭに基づく記録メディアであれば適用可能なことは言うまでもない。ＣＰＲＭに基づく記録メディアとしては、例えばＳＤカードがある。なお、詳しくは、記録メディアＭｄにはメディアＩＤが記録されており、コンテンツ配信システムがメディアＩＤに対応して暗号化タイトル鍵を発行する構成であれば、ＣＰＲＭに基づかなくてもよい。
【００２１】
通信部１６は、制御部１４と配信サーバ２０との間の通信インターフェイスである。
【００２２】
出力部１７は、制御部１４からの制御により、復号されたコンテンツの再生出力を実行するといった基本機能に加え、制御部１４からの入力により、コンテンツ購入、再配信確認及びコンテンツ再配信といった処理の画面を表示する機能をもっている。
【００２３】
配信サーバ２０は、ユーザ情報蓄積部２１、コンテンツ情報蓄積部２２、暗号化タイトル鍵２３、暗号化コンテンツ蓄積部２４、認証処理部２５、要求処理部２６、鍵管理部２７及び配信部２８を備えている。
【００２４】
ユーザ情報蓄積部２１は、図２に示すように、ユーザＩＤ、パスワード、購入済みのコンテンツＩＤ、メディアＩＤ及び再配信情報が互いに関連付けて記憶されたものであり、認証処理部２５及び要求処理部２６から読出／書込可能となっている。ここで、再配信情報は、暗号化コンテンツ及び暗号化タイトル鍵における配信日及び再配信日を示す履歴情報である。
【００２５】
なお、ユーザ情報蓄積部２１は、上述したデータ項目に限らず、ユーザ名、住所、電子メールアドレス等といった任意のデータ項目を付加してもよい。これは他の蓄積部２２〜２４，３１についても同様である。すなわち、図２〜図６は各蓄積部２１〜２４，３１が有するデータ項目のうち、比較的、本実施形態の動作に関係する項目を示したものであり、他のデータ項目を排除するものではない。
【００２６】
コンテンツ情報蓄積部２２は、図３に示すように、コンテンツＩＤ、ジャンル、コンテンツ名、著作権者、金額、再生時間、コピー制御情報及び再配信条件といったコンテンツを管理するための情報が互いに関連付けて記憶されたものであり、要求処理部２２から読出可能となっている。ここで、再配信条件は、コンテンツＩＤ毎に再配信可能な条件を示すものであり、再配信可能な回数や期間といった任意の条件が設定可能となっている。
【００２７】
暗号化タイトル鍵蓄積部２３は、図４に示すように、ユーザＩＤ、メディアＩＤ、コンテンツＩＤ及び暗号化タイトル鍵が互いに関連付けて記憶されたものであり、鍵管理部２３から読出／書込可能となっている。
【００２８】
暗号化コンテンツ蓄積部２４は、図５に示すように、コンテンツＩＤ及び暗号化コンテンツが互いに関連付けて記憶されたものであり、配信部２４から読出可能となっている。
【００２９】
認証処理部２５は、ユーザ端末１０から受けるユーザＩＤ及びパスワードに基づいて、ユーザ情報蓄積部２１を参照しながらユーザ認証処理を実行するものであり、ログインを許可すると、要求処理部２６を起動する機能をもっている。
【００３０】
要求処理部２６は、ユーザ端末１０から受けるコンテンツ購入要求、発行要求、ダウンロード要求、コンテンツ一覧取得要求、入手用画面要求、再配信要求、鍵読出要求といった各種の要求を処理するものであり、具体的には後述する図７〜図１０に示す処理を実行するものである。
【００３１】
鍵管理部２７は、暗号化タイトル鍵蓄積部２３を管理するものであり、鍵発行時には、鍵発行サーバ４０から受けた暗号化タイトル鍵をチケットデータの各ＩＤと関連付けて暗号化タイトル鍵蓄積部２３に書込む機能と、鍵読出時には、鍵読出要求に含まれるチケットデータに基づいて、暗号化タイトル鍵蓄積部２３内の対応する暗号化タイトル鍵を読出す機能と、鍵発行時及び鍵読出時には、書込み又は読出した暗号化タイトル鍵を配信部２８を介してユーザ端末１０に送信する機能とをもっている。
【００３２】
配信部２８は、要求処理部２６及び鍵管理部２７に制御され、画面データ、暗号化タイトル鍵及び暗号化コンテンツ等をユーザ端末１０に配信するものである。
【００３３】
課金・決済サーバ３０は、コンテンツ購入時に課金処理を行なうものであり、課金決済情報蓄積部３１及び課金決済処理部３２を備えている。
【００３４】
課金・決済情報蓄積部３１は、図６に示すように、ユーザＩＤ、コンテンツＩＤ、コンテンツ名、購入日、購入金額、決済方法、カード番号、課金未済データが互いに関連付けて記憶されたものであり、課金決済処理部３２から読出／書込可能となっている。
【００３５】
課金決済処理部３２は、配信サーバ２０からチケットデータを含む課金処理要求を受けると、この課金処理要求に基づいて課金処理を実行する機能と、課金処理結果を課金・決済情報蓄積部３１に保存した後、課金処理終了を配信サーバ２０に通知する機能とをもっている。
【００３６】
鍵発行サーバ４０は、ＣＰＲＭ技術に基づいて暗号化タイトル鍵を発行するものであり、予めコンテンツＩＤ毎にタイトル鍵を管理する機能と、配信サーバ２０から鍵発行要求及びコンテンツＩＤを受けると、鍵発行要求に含まれるＭＫＢ（Media Key Block）及びメディアＩＤに基づいて、コンテンツＩＤに対応するタイトル鍵を暗号化する機能と、暗号化により得られた暗号化タイトル鍵を配信サーバ２０に返信する機能とをもっている。なお、鍵発行サーバ４０は、ユーザ管理を行なわない。鍵発行サーバ４０は、１つの暗号化タイトル鍵を発行する度に鍵発行料として規定額を配信サーバ２０の運営業者に請求するための鍵発行情報を管理してもよい。
【００３７】
次に、以上のように構成されたコンテンツ配信システムの動作を図７乃至図１０のシーケンス図を用いて説明する。
【００３８】
（コンテンツ購入：図７）
ユーザ端末１０は、ユーザによる入力部１３の操作により、制御部１４が配信サーバ２０にログインするためユーザＩＤ及びパスワードを通信部１６を介して配信サーバ２０に送信する。配信サーバ２０は、このユーザＩＤ及びパスワードに基づいて、ユーザ認証処理を実行する（ＳＴ１）。具体的には、認証処理部２５がユーザＩＤ及びパスワードに基づいてユーザ情報蓄積部２１を検索し、当該ユーザＩＤ及びパスワードがユーザ情報蓄積部２１に有るとき、ユーザ端末１０にログインを許可する。また、認証処理部２５は、要求処理部２６を起動する。要求処理部２６は、メニュー画面データをユーザ端末１０に送信する。ユーザ端末１０は、メニュー画面を出力部１７に表示する。
【００３９】
次に、ユーザ端末１０は、ユーザの入力操作により、後述する図８のようなやり取りを行ない、メニュー画面からコンテンツ購入用画面を出力部１７に表示する。しかる後、ユーザ端末１０は、ユーザの入力操作により、購入するコンテンツ及び決済方法を選択し（ＳＴ２）、制御部１４が、Ｒ／Ｗ部１５により記録メディアＭｄからメディアＩＤを読み出して（ＳＴ３〜ＳＴ４）、メディアＩＤ及びコンテンツＩＤを含むコンテンツ購入要求を通信部１６を介して配信サーバ２０に送信する（ＳＴ５）。
【００４０】
配信サーバ２０においては、要求処理部２６がこのコンテンツ購入要求に基づいて、ユーザＩＤ、メディアＩＤ、コンテンツＩＤ及び購入データ（決済方法、金額）からなるチケットデータを作成し（ＳＴ６）、チケットデータを含む課金処理要求を課金・決済サーバ３０に送信する。
【００４１】
課金・決済サーバ３０においては、課金決済処理部３２がこの課金処理要求に基づいて課金処理を実行し（ＳＴ７）、課金処理結果を課金・決済情報蓄積部３１に保存した後、課金処理終了を要求処理部２６に通知する。
【００４２】
要求処理部２６は、この通知を受けると、チケットデータをユーザ端末１０に送信する（ＳＴ８）。
【００４３】
ユーザ端末１０は、制御部１４が、通信部１６から受けたチケットデータをＤＲＡＭ１１に記憶し（ＳＴ９）、Ｒ／Ｗ部１５により記録メディアＭｄからＭＫＢ及びメディアＩＤを読み出して、ＭＫＢ及びメディアＩＤを含む鍵発行要求を通信部１６を介して配信サーバ２０に送信する（ＳＴ１０）。
【００４４】
配信サーバ２０においては、要求処理部２６がこの鍵発行要求及びコンテンツＩＤを鍵管理部２７を介して鍵発行サーバ４０に送信する（ＳＴ１１）。
【００４５】
鍵発行サーバ４０は、鍵発行要求及びコンテンツＩＤを受けると、鍵発行要求に含まれるＭＫＢ及びメディアＩＤに基づいて、コンテンツＩＤに対応するタイトル鍵を暗号化し、作成された暗号化タイトル鍵を配信サーバ２０に返信する（ＳＴ１２〜ＳＴ１３）。
【００４６】
鍵管理部２７は、この暗号化タイトル鍵をチケットデータの各ＩＤと関連付けて暗号化タイトル鍵蓄積部２３に保持した後（ＳＴ１４）、暗号化タイトル鍵を配信部２８を介してユーザ端末１０に送信する（ＳＴ１５）。
【００４７】
ユーザ端末１０では、制御部１４が通信部１６から受けた暗号化タイトル鍵をＤＲＡＭ１１に記憶する（ＳＴ１６）。
【００４８】
しかる後、ユーザ端末１０では、制御部１４がＤＲＡＭ１１内のチケットデータをＲ／Ｗ部１５を介して記録メディアＭｄに書込む（ＳＴ１７〜ＳＴ１９）。続いて、ユーザ端末１０では、制御部１４がＤＲＡＭ１１内の暗号化タイトル鍵をＲ／Ｗ部１５から記録メディアＭｄに書込む（ＳＴ２０〜ＳＴ２２）。
【００４９】
続いて、ユーザ端末１０は、制御部１４が、コンテンツＩＤを含むダウンロード要求を通信部１６を介して配信サーバ２０に送信する（ＳＴ２３）。配信サーバ２０においては、要求処理部２６がこのダウンロード要求に基づいて配信部２８を起動する。配信部２８は、ダウンロード要求に含まれるコンテンツＩＤに基づいて、暗号化コンテンツ蓄積部２４内の対応する暗号化コンテンツをユーザ端末１０に送信する（ＳＴ２４）。
【００５０】
ユーザ端末１０は、制御部１４が、通信部１６から受けた暗号化コンテンツをＲ／Ｗ部１５により記録メディアＭｄに書込む（ＳＴ２５〜ＳＴ２７）。以上により、暗号化コンテンツの購入処理が完了する。
【００５１】
（再配信確認（１）：図８）
次に、ユーザ端末１０の操作により、暗号化コンテンツが再配信可能か否かを確認する処理について述べる。この処理の結果、再配信可能な場合には再配信用画面が表示され、再配信不可の場合には購入用画面が表示される。なお、図８に示す処理はチケットデータを用いない場合であり、図９に示す処理はチケットデータを用いる場合である。以下、順次説明する。
【００５２】
いま、ユーザ端末１０及び配信サーバ２０の間では、前述したステップＳＴ１と同様に、ユーザ認証処理が実行される（ＳＴ３１）。これにより、ユーザ端末１０では、メニュー画面が出力部１７に表示されているとする。
【００５３】
次に、ユーザ端末１０は、ユーザの入力操作により、制御部１４が、例えばジャンルを指定したコンテンツ一覧取得要求を通信部１６を介して配信サーバ２０に送信する（ＳＴ３２）。配信サーバ２０においては、このコンテンツ一覧取得要求に基づいて要求処理部２６がコンテンツ情報蓄積部２２を参照し、指定されたジャンルのコンテンツＩＤ、コンテンツ名、著作権者、金額、再生時間等を含むコンテンツ一覧画面データをユーザ端末１０に送信する（ＳＴ３３）。
【００５４】
ユーザ端末１０は、制御部１４が、通信部１６から受けた画面データによりコンテンツ一覧画面を出力部１７に表示する（ＳＴ３４）。しかる後、ユーザ端末１０は、ユーザの入力操作により、入手希望のコンテンツを選択し（ＳＴ３５）、制御部１４が、Ｒ／Ｗ部１５により記録メディアＭｄからメディアＩＤを読み出して（ＳＴ３６〜ＳＴ３７）、メディアＩＤ及びコンテンツＩＤを含む入手用画面要求を通信部１６を介して配信サーバ２０に送信する（ＳＴ３８）。
【００５５】
配信サーバ２０においては、要求処理部２６がこの画面要求に含まれるメディアＩＤ及びコンテンツＩＤに基づいてユーザ情報蓄積部２１を参照し、コンテンツを購入済か否か（＝メディアＩＤ及びコンテンツＩＤが有るか否か）を判定する（ＳＴ３９）。
【００５６】
ステップＳＴ３９の判定の結果が「未購入」を示すときには、要求処理部２６は、コンテンツ情報蓄積部２２から購入用画面を生成する（ＳＴ４０）。一方、「購入済」を示すときには、要求処理部２６は、ユーザ情報蓄積部２１内の再配信情報がコンテンツ情報蓄積部２２内の再配信条件に対して有効（＝再配信条件を満たす）か否かを判定する（ＳＴ４１）。なお、このステップＳＴ４１の処理は省略してもよい。
【００５７】
ステップＳＴ４１の判定の結果が「再配信条件に対して無効」を示すときには、要求処理部２６は、ステップＳＴ４０に移行して購入用画面を生成する。また、「再配信条件に対して有効」を示すときには、要求処理部２６は、コンテンツ情報蓄積部２２から再配信用画面を生成する（ＳＴ４２）。
【００５８】
これにより、要求処理部２６は、ステップＳＴ４２又はＳＴ４０で生成した再配信用画面データ又は購入用画面データをユーザ端末１０に送信する（ＳＴ４３）。
【００５９】
ユーザ端末１０は、受信した画面データに基づいて、再配信用画面又は購入用画面を出力部１７に表示する（ＳＴ４４）。
【００６０】
（再配信確認（２）：図９）
いま、ユーザ端末１０及び配信サーバ２０の間では、前述したステップＳＴ１と同様に、ユーザ認証処理が実行される（ＳＴ５１）。これにより、ユーザ端末１０では、メニュー画面が表示されているとする。
【００６１】
次に、ユーザ端末１０は、ユーザの入力操作により、再配信可能コンテンツ一覧要求を選択し（ＳＴ５２）、制御部１４が、Ｒ／Ｗ部１５により記録メディアＭｄからチケットデータを読み出して（ＳＴ５３〜ＳＴ５４）、チケットデータを通信部１６を介して配信サーバ２０に送信する（ＳＴ５５）。
【００６２】
配信サーバ２０においては、要求処理部２６がこのチケットデータに基づいてユーザ情報蓄積部２１を参照し、ユーザ情報蓄積部２１内の再配信情報がコンテンツ情報蓄積部２２内の再配信条件に対して有効（＝再配信条件を満たす）か否かを判定する（ＳＴ５６）。
【００６３】
ステップＳＴ５６の判定の結果が「再配信条件に対して無効」を示すときには、要求処理部２６は、コンテンツ情報蓄積部２２から購入用画面データを生成する（ＳＴ５７）。また、「再配信条件に対して有効」を示すときには、要求処理部２６は、コンテンツ情報蓄積部２２から再配信用画面データを生成する（ＳＴ５８）。
【００６４】
これにより、要求処理部２６は、ステップＳＴ５８又はＳＴ５７で生成した再配信用画面データ又は購入用画面データをユーザ端末１０に送信する（ＳＴ５９）。
【００６５】
ユーザ端末１０は、受信した画面データに基づいて、再配信用画面又は購入用画面を出力部１７に表示する（ＳＴ６０）。
【００６６】
（コンテンツ再配信：図１０）
いま、ユーザ端末１０では、ステップＳＴ４４又はステップＳＴ６０により、再配信可能なコンテンツを示す再配信用画面が表示されているとする。
【００６７】
ユーザ端末１０は、ユーザの入力操作により、再配信を希望するコンテンツを選択し（ＳＴ６１）、制御部１４が、メディアＩＤ及びコンテンツＩＤを含む再配信要求を通信部１６を介して配信サーバ２０に送信する（ＳＴ６２）。
【００６８】
配信サーバ２０においては、要求処理部２６がこの再配信要求及び前述したユーザ認証処理（ＳＴ３１又はＳＴ５１）に基づいて、ユーザＩＤ、メディアＩＤ、コンテンツＩＤ及び購入データからなるチケットデータを作成し（ＳＴ６３）、再配信日を含む再配信情報をユーザ情報蓄積部２１に記録する（ＳＴ６４）。しかる後、要求処理部２６は、チケットデータをユーザ端末１０に送信する（ＳＴ６５）。
【００６９】
ユーザ端末１０は、制御部１４が、通信部１６から受けたチケットデータをＤＲＡＭ１１に記憶し（ＳＴ６６）、チケットデータを含む鍵読出要求を通信部１６を介して配信サーバ２０に送信する（ＳＴ６７）。
【００７０】
配信サーバ２０においては、要求処理部２６がこの鍵読出要求を鍵管理部２７に転送する。鍵管理部２７は、この鍵読出要求に含まれるチケットデータに基づいて、暗号化タイトル鍵蓄積部２３内の対応する暗号化タイトル鍵を配信部２８を介してユーザ端末１０に送信する（ＳＴ６９）。
【００７１】
以下、ユーザ端末１０は、前述したステップＳＴ１６〜ＳＴ２７と同様に、チケットデータ及び暗号化タイトル鍵を記録メディアＭｄに書込み（ＳＴ１６’〜ＳＴ２２’）、暗号化コンテンツをダウンロードして記録メディアＭｄに書込む（ＳＴ２３’〜ＳＴ２７’）。これにより、暗号化コンテンツの再配信処理が完了する。
【００７２】
上述したように本実施形態によれば、配信サーバ２０としては、ユーザ端末１０から送信されたメディアＩＤ及びコンテンツＩＤがユーザ情報蓄積部２１内に有るとき、暗号化タイトル鍵及び暗号化コンテンツをユーザ端末に再配信する構成により、コンテンツ購入時とコンテンツ再配信時とで別々のユーザ端末が使用されたとしても、記録メディアが同一であれば、コンテンツを再配信することができる。
【００７３】
また、本実施形態のコンテンツ再配信処理は、チケットデータを用いるものの原理的にはユーザＩＤが不要であり、少なくともメディアＩＤ及びコンテンツＩＤに基づいてコンテンツを再配信できるので、暗号化コンテンツ及び暗号化タイトル鍵を含む記録メディアＭｄを第三者にプレゼントした場合でも、第三者がコンテンツの再配信を受けることが可能となっている。但し、ユーザ自身が保有する記録媒体Ｍｄについては、盗難にあった場合を考慮してユーザＩＤの認証処理を用いた方が好ましい。
【００７４】
なお、本実施形態は、暗号化タイトル鍵、暗号化コンテンツ及びチケットデータを記録メディアＭｄに記録した場合を説明したが、これに限らず、図１１及び図１２の変形例１〜７に示すように、暗号化タイトル鍵、暗号化コンテンツ及びチケットデータを任意の組合せで、記録メディアＭｄ及び／又はハードディスク１２に記録することができる。
【００７５】
（第２の実施形態）
図１３は本発明の第２の実施形態に係るコンテンツ配信システムの構成を示す模式図であり、前述した図１からチケットデータが省略されている。
【００７６】
すなわち、本実施形態は、第１の実施形態の変形形態であり、チケットデータを省略した構成となっている。
【００７７】
次に、以上のように構成されたコンテンツ配信システムの動作を図１４及び図１５のシーケンス図を用いて説明する。
【００７８】
（コンテンツ購入：図１４）
コンテンツ購入処理は、前述した図７に比べ、チケットデータの省略に伴い、チケットデータに関するステップＳＴ６，ＳＴ８，ＳＴ９，ＳＴ１７〜ＳＴ１９が省略された内容で動作する。
【００７９】
（再配信確認）
チケットデータを省略した構成であるので、前述した図８と同様に動作する。
【００８０】
（コンテンツ再配信：図１５）
コンテンツ再配信処理は、前述した図１０に比べ、チケットデータの省略に伴い、チケットデータに関するステップＳＴ６３，ＳＴ６５からＳＴ６７，ＳＴ１７’〜ＳＴ１９’が省略された内容で動作する。
【００８１】
上述したように本実施形態によれば、チケットデータを省略した構成としても、第１の実施形態と同様の作用効果を得ることができる。
【００８２】
なお、本実施形態は、暗号化タイトル鍵及び暗号化コンテンツを記録メディアＭｄに記録した場合を説明したが、これに限らず、図１６及び図１７の変形例１〜３に示すように、暗号化タイトル鍵及び暗号化コンテンツを任意の組合せで、記録メディアＭｄ及び／又はハードディスク１２に記録することができる。
【００８３】
なお、上記各実施形態に記載した手法は、コンピュータに実行させることのできるプログラムとして、磁気ディスク（フロッピー（登録商標）ディスク、ハードディスクなど）、光ディスク（ＣＤ−ＲＯＭ、ＤＶＤなど）、光磁気ディスク（ＭＯ）、半導体メモリなどの記憶媒体に格納して頒布することもできる。
【００８４】
また、この記憶媒体としては、プログラムを記憶でき、かつコンピュータが読み取り可能な記憶媒体であれば、その記憶形式は何れの形態であっても良い。
【００８５】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の一部を実行しても良い。
【００８６】
さらに、本発明における記憶媒体は、コンピュータと独立した媒体に限らず、ＬＡＮやインターネット等により伝送されたプログラムをダウンロードして記憶または一時記憶した記憶媒体も含まれる。
【００８７】
また、記憶媒体は１つに限らず、複数の媒体から本実施形態における処理が実行される場合も本発明における記憶媒体に含まれ、媒体構成は何れの構成であっても良い。
【００８８】
尚、本発明におけるコンピュータは、記憶媒体に記憶されたプログラムに基づき、本実施形態における各処理を実行するものであって、パソコン等の１つからなる装置、複数の装置がネットワーク接続されたシステム等の何れの構成であっても良い。
【００８９】
また、本発明におけるコンピュータとは、パソコンに限らず、情報処理機器に含まれる演算処理装置、マイコン等も含み、プログラムによって本発明の機能を実現することが可能な機器、装置を総称している。
【００９０】
なお、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。
【図面の簡単な説明】
【００９１】
【図１】本発明の第１の実施形態に係るコンテンツ配信システムの構成を示す模式図である。
【図２】同実施形態におけるユーザ情報蓄積部の構成を示す模式図である。
【図３】同実施形態におけるコンテンツ情報蓄積部の構成を示す模式図である。
【図４】同実施形態における暗号化タイトル鍵蓄積部の構成を示す模式図である。
【図５】同実施形態における暗号化コンテンツ蓄積部の構成を示す模式図である。
【図６】同実施形態における課金・決済情報蓄積部の構成を示す模式図である。
【図７】同実施形態における動作を説明するためのシーケンス図である。
【図８】同実施形態における動作を説明するためのシーケンス図である。
【図９】同実施形態における動作を説明するためのシーケンス図である。
【図１０】同実施形態における動作を説明するためのシーケンス図である。
【図１１】同実施形態における変形例を説明するための模式図である。
【図１２】同実施形態における変形例を説明するための模式図である。
【図１３】本発明の第２の実施形態に係るコンテンツ配信システムの構成を示す模式図である。
【図１４】同実施形態における動作を説明するためのシーケンス図である。
【図１５】同実施形態における動作を説明するためのシーケンス図である。
【図１６】同実施形態における変形例を説明するための模式図である。
【図１７】同実施形態における変形例を説明するための模式図である。
【符号の説明】
【００９２】
１０…ユーザ端末、１１…ＤＲＡＭ、１２…ハードディスク（ＨＤＤ）、１３…入力部、１４…制御部、１５…Ｒ／Ｗ部、１６…通信部、１７…出力部、２０…配信サーバ、２１…ユーザ情報蓄積部、２２…コンテンツ情報蓄積部、２３…暗号化タイトル鍵、２４…暗号化コンテンツ蓄積部、２５…認証処理部、２６…要求処理部、２７…鍵管理部、２８…配信部、３０…課金・決済サーバ、３１…課金決済情報蓄積部、３２…課金決済処理部、４０…鍵発行サーバ。
【図１】
2005286598.tif 000003
【図２】
2005286598.tif 000004
【図３】
2005286598.tif 000005
【図４】
2005286598.tif 000006
【図５】
2005286598.tif 000007
【図６】
2005286598.tif 000008
【図７】
2005286598.tif 000009
【図８】
2005286598.tif 000010
【図９】
2005286598.tif 000011
【図１０】
2005286598.tif 000012
【図１１】
2005286598.tif 000013
【図１２】
2005286598.tif 000014
【図１３】
2005286598.tif 000015
【図１４】
2005286598.tif 000016
【図１５】
2005286598.tif 000017
【図１６】
2005286598.tif 000018
【図１７】
2005286598.tif 000019